(57)【特許請求の範囲】
【請求項１】
少なくとも、後面側の上部に突出した円弧状の壁部を形成した防水カバー部とこの防水カバー部の前方にドアインナトリムとドアインナパネル間に配置される縁立て部を一体に形成した樹脂製のフレームと、前記フレームの縁立て部に外周部が結合された振動板と、この振動板を振動させる磁気回路およびボイスコイルからなり、更に前記フレームの縁立て部の下端後面側に前記樹脂製フレームの成形時の抜きテーパーともなる傾斜した水抜き溝部を設けた防水型スピーカであって、前記防水カバー部の上方にコネクタークランプ用の孔と下端に防水カバーの上部と通じた水抜き孔を有してなるコネクタークランプ部を設けた防水型スピーカ。
【発明の詳細な説明】
【０００１】
【産業上の利用分野】
本発明は各種音響機器に使用される防水型スピーカに関するものである。
【０００２】
【従来の技術】
従来の防水型スピーカについて図３、図４により説明する。
【０００３】
図３は従来の防水型スピーカの正面図、図４は従来の防水型スピーカの車両取付時の側面断面図を示すものであり、１はスピーカの後面上部外周に略半周以上にわたって突出した円弧状の壁よりなる防水カバー部であり、この防水カバー部１によって、車両ドア内部に浸入してきた水滴はスピーカの振動板２０に到達することなく下方へ落下する。２は縁立て部、３は車両取付部、４は取付ブラケット、５はコネクター、６はターミナル、７は金型キャビ側抜き方向、８は抜きテーパー、９は水たまり部、１０は車両側ドアインナートリム、１１は車両側ドアインナーパネルである。
【０００４】
以上のように構成されたスピーカは樹脂製フレームにて防水カバー部１、縁立て部２、車両取付部３を一体化しており、車両側ドアインナートリム１０に取付時に車両取付部３をネジ付けして固定し、ドア内部に浸入してくる水滴を防水カバー部１にて保護し、車両側ドアインナーパネル１１に近接させるため縁立て部２の高さを調整して車両内側方向に位置するようスピーカを構成している。
【０００５】
また、出力アンプへの結線はターミナル６から引き出したコードと結線したコネクター５を介して行うよう構成している。
【０００６】
なお、スピーカユニットは振動板２０、磁気回路、ボイスコイルからなる一般的なものであり、説明は省略する。
【０００７】
【発明が解決しようとする課題】
しかしながら上記の従来の構成では、樹脂製フレームを射出成形するとき金型のパーティングは防水カバー部１の前後となり、金型キャビ側は金型キャビ側抜き方向７にて抜くこととなる。その際樹脂製フレームの型離れをよくするため抜きテーパ８に１°から２°の角度が必要になり、ドア内部に浸入してきた水滴が水たまり部９にたまり振動板２０の破壊・接着はがれ・車室内への水漏れといった品質不良を引き起こすという問題点を有していた。
【０００８】
また、上記の従来の構成ではコネクター５のクリップ部５ｃを挿入する孔がないため、取付ブラケット４の孔部に挿入固定後スピーカにビス５ａでビス止めしており、部品点数の増加・スピーカへの加工追加・作業工数増加という問題点を有していた。
【０００９】
本発明は上記従来の問題点を解決するもので、水滴がたまらず、容易にコネクターが装着できる防水スピーカを提供することを目的とするものである。
【００１０】
【課題を解決するための手段】
上記課題を解決するために本発明の防水型スピーカは、縁立て部の下端に後面側に傾斜した水抜き用の溝を設け、また外周方向に挿通する孔部ならびに後面側に挿通する孔部と結合部を備えたコネクタークランプ部を防水カバー部の後面側に設けるよう構成したものである。
【００１１】
【作用】
この構成によって、ドア内部に浸入してきた水滴がスピーカ内にたまることなく排出され品質問題を防止でき、またコネクター取り付けに際し余分な部品・加工・作業が廃止でき容易に装着できる防水型スピーカを実現することができる。
【００１２】
【実施例】
以下本発明の防水型スピーカの実施例について図１、図２により説明する。
【００１３】
図１は本発明の一実施例における防水型スピーカの正面図、図２は一実施例における防水型スピーカの車両取付時の側面断面図を示すものであり、同図において１ａは従来技術と同様の構成の防水カバー部である。２ａは縁立て部、３ａは車両取付部でありフレームを形成している。５ｂはコネクター、６ａはターミナル、７ａは金型キャビ側抜き方向を示し、１０ａは車両側ドアインナートリムでスピーカの前記車輛取付部３ａを締結している。１１は車両側ドアインナーパネルであり、１２は水抜き溝部、１３は金型コア側抜き方向、１４は抜きテーパー、１５は防水カバー部１ａに延長して設けられたコネクタークランプ部であり、コネクター５ｂをクランプする孔１ｂと下端に水抜き孔１７を有している。なお、１６は金型スライドコア抜き方向を示している。
【００１４】
以上のように構成された防水型スピーカについて、図１、図２を用いてその動作を説明する。まず樹脂製フレームは防水カバー部１ａ、縁立て部２ａ、車両取付部３ａを一体成形したものであるが、射出成形するとき金型のパーティングは防水カバー部１ａの前後となり金型キャビ側は金型キャビ側抜き方向７ａにて抜くこととなるが、その際水抜き溝部１２は金型コア側に抜き金型キャビ側とくいきり構造として、金型コア側抜き方向１３に抜く。その際樹脂製フレームの型離れをよくするため抜きテーパー１４に縁立て部２の肉厚が確保できる程度に角度をつけ、浸入してきた水滴がスピーカ後面側に排出され水たまりができず、振動板２０の破壊・接着はがれ・車室内への水漏れといった品質不良を防ぐという点で優れた効果が得られる。
【００１５】
また、出力アンプへの結線はターミナル６ａから引き出したコードと結線したコネクター５ｂのクランプを、防水カバー部１ａに設けたコネクタークランプ部１５の金型コア側抜き方向１３に抜いた挿通する孔１ｂに挿入して固定する。コネクタークランプ部１５にはコネクター５ｂのクランプができるよう金型スライドコア側抜き方向１６にスライドコアを抜き挿通するスペースを確保しており、金型スライドコア側抜き方向１６から浸入してきた水滴はコネクター５ｂの下側に金型コア側抜き方向１３に抜いた挿通する水抜き孔１７より排出され、部品点数の削除・スピーカへの加工廃止・作業工数削減という点で優れた効果が得られる。
【００１６】
以上のように本実施例によれば、水抜き溝部１２およびコネクタークランプ部１５を設けることにより、水たまりによる品質問題を防ぎ、またコネクター５ｂの装着を容易にすることができる。
【００１７】
なお、スピーカユニットについては外周がフレームの縁立て部２ａに結合された振動板２０、磁気回路、ボイスコイルなどからなる一般的なもので説明は省略する。
【００１８】
【発明の効果】
以上のように本発明は樹脂製フレームの後面側の上部に円弧状の鍔部を形成した防水カバー部を設けるとともに、縁立て部の下端に後面側に傾斜した水抜き用の溝を設け、また防水カバー部に外周方向に挿通する孔部ならびに後面側に挿通する孔部と結合部を備えたコネクタークランプ部を設けることにより、ドア内部に浸入した水滴がたまることなく排出され品質的に安定し、またコネクターを容易にしかも確実に固定することができる優れた防水型スピーカを実現できるものである。
【図面の簡単な説明】
【図１】本発明の防水型スピーカの一実施例の正面図
【図２】同車両取付時の側面断面図
【図３】従来の防水型スピーカの正面図
【図４】同車両取付時の側面断面図
【符号の説明】
１ａ  防水カバー部
１ｂ  孔
２ａ  縁立て部
５ｂ  コネクター
１２  水抜き溝部
１５  コネクタークランプ部
１７  水抜き孔
【図１】
0003674096.tif 000002
【図２】
0003674096.tif 000003
【図３】
0003674096.tif 000004
【図４】
0003674096.tif 000005